(57)【要約】  【課題】インスタント食品の飲食時に熱湯を注ぐという煩わしさがなく簡単かつ容易に短時間で調理できる飲食物蒸気加熱用シャフト及び水パックを有するインスタント食品入り容器の提供。【解決手段】本発明の飲食物蒸気加熱用シャフトは、蒸気噴出シャフト２とコード３を有する握り手１からなる飲食物蒸気加熱用シャフトであって、該蒸気噴出シャフト２は尖った先端部６と周囲に複数の蒸気噴出口５を有する筒状体本体２１からなり、該筒状体本体２１には、密封筒８内に有する加熱体９が内臓されており、また前記握り手１には、加熱ボタン４を有する。また前記蒸気噴出シャフト２が握り手１内から出し入れ可能に構成されている。インスタント食品入り容器に水パックが収納されている。【選択図】    図２
2009077803.tif 000002
【特許請求の範囲】
【請求項１】
蒸気噴出シャフトとコードを有する握り手からなる飲食物蒸気加熱用シャフトであって、該蒸気噴出シャフトは丸みを帯びた又は尖った先端のいずれでもよい先端部と周囲に複数の蒸気噴出口を有する筒状状本体からなり、該筒状状本体には、密封筒内に有する加熱体が内臓されており、また前記握り手には、加熱ボタンを有することを特徴とする飲食物蒸気加熱用シャフト。
【請求項２】
前記蒸気噴出シャフトが握り手内から出し入れ可能に構成されていることを特徴とする請求項１に記載の飲食物蒸気加熱用シャフト。
【請求項３】
容器の開口部に剥離可能な蓋を設けた蒸気加熱用インスタント食品入り容器において、該容器中の最上部に調理用水パックを有することを特徴とする蒸気加熱用インスタント食品入り容器。
【請求項４】
前記調理用水パックは剥離可能な蓋の内面に接続されていることを特徴とする請求項３に記載の蒸気加熱用インスタント食品入り容器。
【請求項５】
前記調理用水パックは、注水口を有することを特徴とする請求項３又は請求項４に記載の蒸気加熱用インスタント食品入り容器。
【請求項６】
前記調理用水パックには、剥離テープを有することを特徴とする請求項３又は請求項４に記載の蒸気加熱用インスタント食品入り容器。
【発明の詳細な説明】
【技術分野】
【０００１】
本発明は、インスタント食品を短時間で調理し得る飲食物蒸気加熱用シャフトに関するものであり、また本発明は、蒸気加熱でインスタント食品を調理することができるインスタント食品入り容器に関するものである。更に詳しくはインスタント食品、特に即席ラーメンなどを蒸気で飲食可能に加熱し得るもので、湯を沸かして注入する必要のない飲食物蒸気加熱用シャフト及び蒸気加熱用インスタント食品入り容器に関するものである。
【背景技術】
【０００２】
従来、インスタント食品、特に麺類を用いたものにあっては、ラーメン、うどん、そばなどがあるが、これらは、通常、容器内に乾燥麺、粉末又は液状スープ、更に麺類に対応した具が収納されて販売されており、飲食時には、容器の蓋を一部開け、そこへ熱湯を注いで、調理するようになっている（例えば、特許文献１参照）。近年、これらのインスタント食品を簡単に手間を掛けずに調理する方法として、電子レンジ加熱が行われるようになった。例えば、冷凍麺と冷凍スープを冷凍保存し、飲食時に、電子レンジで加熱する飲食法があるが、冷凍保存場所から取り出されて長時間経つと冷凍スープが解凍され、一部でも解凍状態となると、解けたスープが冷凍麺に付着する結果、麺に不均一に付着されるので、麺の味が不均一となり味が低下する恐れがあった。これを解決するために、容器内に小容器を収納し、この小容器へ冷凍スープを収納し、加熱調理時には、小容器を開封せずにそのまま加熱調理すると、小容器がおのずと開封されて解けたスープが麺と混じり合う方法が開示されている（例えば、特許文献１参照）。
【０００３】
また図１乃至図３に示されているように、樹脂製のインスタント食品袋（１）の内部には、うどん、そば、ゼンマイ、おかゆ、御飯米（２）が汁液と入って味付けされている。この袋（１）の背面には加熱袋（５）が圧着されており、この瓶口２ａに止着した密封容器４が瓶口２ａ内に没入された状態で設けられており、この加熱袋（５）に酸素ガスを導入して発熱させることが開示されている（例えば、特許文献２参照）。
【特許文献１】特開平９−１８７２４１（段落０００２、段落０００８乃至段落００１０、図５）
【特許文献２】特開平７−１２４０５７（６頁右欄７行〜７頁左欄１７行、図１乃至図３）
【発明の開示】
【発明が解決しようとする課題】
【０００４】
しかしながら、前述の如く特許文献１に開示されている加熱構造は、電子レンジであり、大きさも大きく持ち運びが大掛かりとなり、手軽に使用することには問題がある。また特許文献２に開示されている加熱体は、コンパクトではあるが、加熱温度が８０℃と低く、また調理時間も７分と長いという問題がある。またインスタント食品は、飲食時には、インスタント食材の入った容器の蓋を一部開け、そこへ熱湯を注いで、調理するようになっているため、調理場などの湯を沸かす場所のないところでは、インスタント食品を食することは困難であった。
【０００５】
そこで、本発明者は、上記の問題点について、種々検討したところ、できるだけ早く調理ができ、しかも熱湯を注ぐという煩わしさのない加熱機器について種々検討したところ、容器に差し込み、容器内の水を加熱体で加熱して得られた蒸気を噴出させるだけで調理が可能な蒸気加熱用シャフトを用いることによって、熱湯を注ぐという煩わしさがなく、短時間で簡単かつ容易にインスタント食品の調理ができる飲食物蒸気加熱用シャフトを見出し、また該蒸気加熱用シャフトを使用し得るインスタント食品を見出し、ここに本発明
をなすに至った。
【０００６】
したがって、本発明が解決しようとする第１の課題は、インスタント食品の飲食時に熱湯を注ぐという煩わしさがなく簡単かつ容易に短時間で調理できる飲食物蒸気加熱用シャフトを提供することにある。また本発明が解決しようとする第２の課題は、飲食物蒸気加熱用シャフトを使用した蒸気加熱用インスタント食品入り容器を提供するものである。
【課題を解決するための手段】
【０００７】
本発明は、以下の各発明によって、前記の課題を解決したものである。
（１）蒸気噴出シャフトとコードを有する握り手からなる飲食物蒸気加熱用シャフトであって、該蒸気噴出シャフトは丸みを帯びた又は尖った先端のいずれでもよい先端部と周囲に複数の蒸気噴出口を有する筒状体本体からなり、該筒状体本体には、密封筒内に有する加熱体が内臓されており、また前記握り手には、加熱ボタンを有することを特徴とする飲食物蒸気加熱用シャフト。
（２）前記蒸気噴出シャフトが握り手内から出し入れ可能に構成されていることを特徴とする前記第１項に記載の飲食物蒸気加熱用シャフト。
（３）容器の開口部に剥離可能な蓋を設けた蒸気加熱用インスタント食品入り容器において、該容器中の最上部に調理用水パックを有することを特徴とする蒸気加熱用インスタント食品入り容器。
（４）前記調理用水パックは剥離可能な蓋の内面に接続されていることを特徴とする前記第３項に記載の蒸気加熱用インスタント食品入り容器。
（５）前記調理用水パックは、注水口を有することを特徴とする前記第３項又は第４項に記載の蒸気加熱用インスタント食品入り容器。
（６）前記調理用水パックには、剥離テープを有することを特徴とする前記第３項又は第４項に記載の蒸気加熱用インスタント食品入り容器。
【発明の効果】
【０００８】
本発明において、（１）前記第１項に記載された飲食物蒸気加熱用シャフトは、蒸気噴出シャフトとコードを有する握り手からなる飲食物蒸気加熱用シャフトであって、該蒸気噴出シャフトは丸みを帯びた又は尖った先端のいずれでもよい先端部と周囲に複数の蒸気噴出口を有する筒状体本体からなり、該筒状体本体には、密封筒内に有する加熱体が内臓されており、また前記握り手には、加熱ボタンを有することを特徴とするもので、特に、密封筒内に有する加熱体が内臓されている筒状体を用いることによってインスタント食品の飲食時に熱湯を注ぐという煩わしさがなく簡単かつ容易に短時間で調理できるという優れた効果を奏するものである。
【０００９】
（２）前記第２項に記載された飲食物蒸気加熱用シャフトは、蒸気噴出シャフトが握り手内から出し入れ可能に構成されているにより、コンパクトでかつ先の尖ったシャフトに触れる恐れがなく安全に持ち運びできるという優れた効果を奏するものである。
（３）容器の開口部に剥離可能な蓋を設けた蒸気加熱用インスタント食品入り容器において、該容器中の最上部に調理用水パックを有することにより、改めて水を用意する手間が省け、熱湯のない場所でも簡単かつ容易に短時間で調理できるという優れた効果を奏するものである。
（４）前記第３項に記載の蒸気加熱用インスタント食品入り容器において、前記調理用水パックは剥離可能な蓋の内面に接続されていることにより、容器内でガタつかず、また蓋を開けたときに蓋から分離されてインスタント食材上に容易に落下させることができるという優れた効果を奏するものである。
（５）前記第３項又は第４項に記載の蒸気加熱用インスタント食品入り容器において、前記調理用水パックは、注水口を有することにより、容器内へ容易に水を注入することができるという優れた効果を奏するものである。
（６）前記第３項又は第４項に記載の蒸気加熱用インスタント食品入り容器において、前記調理用水パックには、剥離テープを有することにより、該剥離テープを剥すことによって水を流出させることができるという優れた効果を奏するものである。
【発明を実施するための最良の形態】
【００１０】
以下に、本発明について、発明の実施の形態を図面で説明するが、本発明は、これに限定されるものではない。
【００１１】
図１は、本発明の飲食物蒸気加熱用シャフトを示す側面図である。図２は、本発明に用いられる一部を切り欠いた飲食物蒸気加熱用シャフトを示す側面図である。図３は、本発明の飲食物蒸気加熱用シャフトの別の実施の態様を示す側面図である。図４は、即席麺の入った容器の上面に本発明の飲食物蒸気加熱用シャフトの先端を突き刺す使用例を示す斜視図である。本発明の構成を示す要部において、同じ機能を示す要部には同じ記号で示して、その説明を省略する。図１及び図２において、飲食物蒸気加熱用シャフトIには、握り手１の一端に蒸気加熱用シャフト２が設けられており、該シャフト２は、筒状体本体２１からなり、その先端６は、容器の蓋面を突き刺し易い構造となっており、具体的には先端６は尖った形状ならば、特に限定されない。またこの筒状体本体２の周囲には蒸気を噴出するための噴出孔５が複数設けられている。筒状体本体２の先端２は開口されていても又は密閉されていてもよいが、好ましくは開口されているのがよい。また該筒状本体２の形状は、円筒形でも楕円形でもまた角形でもよいが、好ましくは円筒形である。更にこの筒状本体２の内部にはその中心線に沿って密封筒８を有する。この密封筒８の先端は閉口となっており、他端は水密に構成されて握り手１に接続されている。この密封筒８には加熱体９が内臓されている。
【００１２】
前記加熱体９は、通常加熱手段として用いられるものでよく、例えば電熱加熱にはニクロム線がよく、更にはコイル状に形成したものがよい。また電源としては、１００ボルト、３００Ｗ〜１２００Ｗであり、好ましくは５００Ｗ〜１０００Ｗであり、更に好ましくは７００Ｗ〜９００Ｗである。電力は３００Ｗ未満では、十分な蒸気を発生させることができないばかりか時間の短縮もできない。また１２００Ｗを超えると、電力の消費の割には十分な加熱が行えない。握り手１には、表面に露出して加熱用ボタン４を有しており、つまみ４ａを動作することによって加熱のオン、オフを行う。握り手１の内部には、加熱体９から伸びる線を有し、該線は握り手１内でコード３に接続されており、更に温度を制御する制御機器が内臓されている（図示していない）。握り手１の端部には、コード３を貫通した蓋１３を有しており、コード３の端部には差し込み７を有しており、この差込７は、通常の家庭用コンセントや自動車のシガーライター用ソケット又はコンセントに差し込んで使用される。この場合には、コンバータを用いて電圧を落とし電流値を上げたものを用いる必要があるが、これは電気の技術分野において周知の技術を用いればよい。また前記筒状体本体２は、耐熱性樹脂が好ましく、更に密封筒８は、耐熱性樹脂、例えば、四フッ化テフロン（登録商標）などのフッ素樹脂が好ましい。
【００１３】
図３において、本発明の飲食物蒸気加熱用シャフトは、加熱用シャフト２を引き出し可能に構成した例であり、具体的には、筒状本体２１の手元部の端部に段差１４を有しており、該段差面と握り手１の手元側端部に有する環状突起１２との間にスプリング１１の両端が接続されており、摺動可能に構成されている。摺動手段としては、握り手１の内径に対して筒状体本体２１の外形がわずかに小さく十分な摺動が可能な状態に配置する。また握り手１の内部に摺動用案内部材、例えばレールなどを設けてその上を衝動させるなど適宜の手段でよい。使用時に、筒状体体２１を引き出した後、留具１０を押して筒状体本体２１のある段差１４に係止して筒状体本体２１を出た状態にする。更に加熱用シャフト２を握り手１から引き出したとき、該加熱用シャフト２が外れないように握り手１の開口部１７の周囲には押え突起１６が設けられ、また筒状本体２１の後部には係合突起１５を有
し、加熱用シャフト２の引き出し時に両者は係合する。
【００１４】
本発明の飲食物蒸気加熱用シャフトは、前述のように構成されているが、以下にこの飲食物蒸気加熱用シャフトの使用の仕方について説明すると、インスタント食品としては、麺類、例えばラーメン、うどん、そばなどが挙げられるが、焼きそば風にしてもよいことはいうまでもない。まず、飲食物蒸気加熱用シャフトの差込７をコンセントに差し込み、ついで、例えば、図４に示される市販のインスタント食品であるインスタントラーメンＩＩの容器２２の上面の蓋２３の端の一部を開き、乾燥ラーメン２４はそのままにしておき、中から、スープと具２５を取り出し、中身だけを投入し、更に所定の水２６を入れた後（水２６を入れると、スープは水と混合して溶ける。）、蓋２３を閉めて密閉状態とし、更に本発明の飲食物蒸気加熱用シャフト２のシャフト先端を突き刺し、先端が底部近くまで届いたら、差込を停止し、加熱ボタン４ａを押す。容器２２の中の水は瞬時に蒸気となって麺２４を軟らかくすると共に、約３分で食べられる状態になる。このように本発明においては、熱湯を注いだり、電子レンジなどを使用することなく短時間で簡単かつ容易に即席ラーメンを美味しく食べられる状態にすることができる。
【００１５】
本発明の飲食物蒸気加熱用シャフト２を使用した、本発明の蒸気加熱用インスタント食品入り容器の具体的使用の仕方について、以下に説明する。図５は、本発明の蒸気加熱用インスタント食品入り容器を示す断面図である。また図６は、本発明の蒸気加熱用インスタント食品入り容器の別の実施の態様を示し、かつ使用の仕方を示す断面図である。
【００１６】
図５において、蒸気加熱用インスタント食品入り容器２２には、インスタント食材、例えばラーメン２４、具２５、スープ２８が収納された後、封止されている。この封止は容器開口部と蓋２３とが剥離可能に接着剤により接着又は熱接着している。前記の具２５は、通常、包装されている。またスープ２８は、粉末でも液状でもいずれでもよい。この例では液状スープを用いている。これらの食材の上には水パック２６を有しており、この水パック２６には、調理に必要な量の水が入っている。
【００１７】
この蒸気加熱用インスタント食品入り容器２２は、食用時には、容器２２の蓋２３を所定の開け口から開ける。ついでその中の食材２４（インスタント食材が包装されている場合には、その包装材から取り出す。）以外の具２５、スープ２８及び水パック２６を取り出し、それらの封を切り、食材２４上にかける。その後、水パック２６の封を切って水を注ぐ。その後、蓋２３で開口部を塞ぎ、その隙間から本発明の飲食物蒸気加熱用シャフトＩを挿入し、過熱ボタン４ａを押す。水の入ったラーメンは、水が瞬時に蒸気になり、その蒸気で加熱され（蒸気加熱）、短時間で簡単かつ容易に即席ラーメンを美味しく食べられる状態が得られる。
【００１８】
図６において、調理用水パック２６は、該水パックの一箇所が蓋２３と接着剤又は接着部分２７で接着されているので、その接着部分２７が自動的に剥がれる場合と接着部分２７を強制的に剥がす場合があり、後者の場合は手で接着部分２７を剥がす。図６のａは、蓋２３を開けると、自動的に蓋と２３と水パック２６の接着部分２７が剥がれ、該水パック２６は、インスタント食材上に落下する構造である。図６のａにおいて、容器２２の蓋２３を、図６のｂに示される如く開けると、水パックと蓋２３との接着部分が２７が剥がれ、図６のｃの如く水パック２６は食材上に落下する。ついでこれらの包装を開放した後、上記と同様にして飲食物蒸気加熱用シャフトＩを挿入して過熱ボタンを押す。水の入ったラーメンは、水が瞬時に蒸気になり、その蒸気で加熱され、短時間で簡単かつ容易に即席ラーメンを美味しく食べられる状態が得られる。
【００１９】
また別の実施の形態では、図６のｃの如く水パック２６を蓋２３から分離した後、これらの包装物はそのまま包装の状態で再び蓋２３を閉め、ついで、該蓋２３の上から飲食物
蒸気加熱用シャフトＩの先端部を差し込み、インスタント食材２４に到達するまで水パック２６、スープ２８及び具の包装を突き刺してそれらの包装を破り、内容物を開放する。その後、加熱ボタン４ａを押して前述の如く蒸気加熱する。図５で説明したものと同様に短時間で簡単かつ容易に即席ラーメンを美味しく食べられる状態が得られる。更に蒸気加熱用インスタント食品入り容器２２は、該容器２２内の包装されたインスタント食材２４、具２５、粉末スープ２８の場合には、包装しないでそのままインスタント食材２４と一緒にいれておいてもよく、また混合してもよい。図７は、水パック２６の別の形態を示す斜視図であり、この水パック２６ａは注入口２６ｂを有しており、更に注入口２６ｂには切断線２６が設けられている。この切断線２６は、切断のための目安としての表示線でも、また切断し易く線の部分の厚みを薄く形成しておいてもよい。更に図示していないが、蓋２３に飲食物蒸気加熱用シャフトＩを突き刺し易くするために、蓋２３に孔を開け、その孔をラベルなどで覆って塞ぐようにしてもよい。このラベルは剥がしてもよくまた該ラベルの上から突き刺してもよい。
【産業上の利用可能性】
【００２０】
本発明は、インスタト食品の技術分野において特殊な加熱手段を用いることによって短時間で簡単かつ容易に調理することができる飲食物蒸気加熱用シャフト及び該シャフトの使用に適した蒸気加熱用インスタント食品入り容器を提供するものであり、今後この技術分野において極めて有効である。
【図面の簡単な説明】
【００２１】
【図１】本発明の飲食物蒸気加熱用シャフトを示す側面図である。
【図２】本発明に用いられる一部を切り欠いた飲食物蒸気加熱用シャフトを示す側面図である。
【図３】本発明の飲食物蒸気加熱用シャフトの別の実施の態様を示す側面図である。
【図４】本発明の飲食物蒸気加熱用シャフトの使用例を示す斜視図である。
【図５】本発明の蒸気加熱用インスタント食品入り容器を示す断面図である。
【図６】本発明の蒸気加熱用インスタント食品入り容器の別の実施の態様を示す断面図である。
【図７】本発明に用いられる注水口を有する水パックを示す断面図である。
【符号の説明】
【００２２】
１  握り手
２  蒸気加熱用シャフト
３  コード
４  加熱ボタン
４ａ  摘み
５  蒸気噴出孔
６  先端の尖った部分
７  差し込み
８  密閉筒
９  加熱体
１０  留具
１１  バネ（スプリングコイル）
１２  環状突起
１３  蓋
１４  段差（部）
１５  係合突起
１６  押え突起
１７  開口部
２１  筒状本体
２２  容器
２３  ラーメン蓋
２４  乾燥麺
２５  具（かやく）
２６  調理水パック
２７  接着部分
【図１】
2009077803.tif 000003
【図２】
2009077803.tif 000004
【図３】
2009077803.tif 000005
【図４】
2009077803.tif 000006
【図５】
2009077803.tif 000007
【図６】
2009077803.tif 000008
【図７】
2009077803.tif 000009